(57)【要約】【技術課題】  床暖房用温水パネルにおいて、最小面積の導管ガイドピースを用いて導管を温水ヘッダーのところまで配管できる省資源的な導管ガイド装置を提供する【解決手段】温水パネル１に温水ヘッダー３を４５°傾けて組み付け、この温水ヘッダー３の前方に円形切欠部７を形成し、温水パネル１の左縁１Ａ側に左縁カット部１２を形成し、下縁１Ｂ側に下縁カット部１５を形成する。  前記円形切欠部７に回転自在に円形ガイドピース８を組み付け、左縁カット部１２と下縁カット部１５をスリット溝を用いてカットし、ここに角形ガイドピース１８を導管の配管方向に合わせて組み付ける。  円形ガイドピース８と角形ガイドピース１８の向きを変えて配管方向に対応する。  これにより、導管を温水パネル１の外から温水ヘッダー３のところまで、ガイドすることができる。【選択図】図１
2011017500.tif 000002
【特許請求の範囲】
【請求項１】
ａ．熱源機との間を温水循環用の往路と復路から成る導管で結び、温水パネル１に配管された温水パイプ２内に前記導管から供給された温水を分配し、一巡して還って来た温水を集合して熱源機へ還すための温水ヘッダー３を平面視四角形の温水パネル１においてその一つのコーナーに近い位置に４５°傾けて組み付けたこと、
ｂ．前記温水ヘッダー３の導管接続口６、６Ａの前方に半円形状に形成された円形ガイドピース組込み用の円形切欠部７を形成したこと、
ｃ．前記温水パネル１において、前記円形切欠部７から温水パネル１の左縁１Ａに向けて導管ガイド用の水平ガイド溝１０、１０Ａを形成したこと、
ｄ．前記温水パネル１において、前記円形切欠部７から下縁１Ｂに向けて導管ガイド用の垂直ガイド溝１１、１１Ａを形成したこと、
ｅ．前記温水パネル１において、前記水平ガイド溝１０、１０Ａと左縁１Ａが交わる位置に、傾斜スリット溝１３、１３Ａにより台形状に形成し、更に前記水平ガイド溝１０、１０Ａの上下に平行に水平スリット溝１４、１４Ａを設けることにより、温水パネル１の左縁においてこれらのスリット溝に沿って切り取り自在に形成したこと、
ｆ．前記温水パネル１において、前記垂直ガイド溝１１、１１Ａと下縁１Ｂが交わる位置に、前記傾斜スリット溝１３、１３Ａと同じ大きさの台形状となるように傾斜スリット溝１６、１６Ａを形成すると共に垂直ガイド溝１１、１１Ａの左右に平行に垂直スリット溝１７、１７Ａを設けることにより、温水パネル１の下縁においてこれらのスリット溝に沿って切り取り自在に形成したこと、
ｇ．前記円形切欠部７内において回転自在の大きさから成る円形ガイドピース８を設け、この円形ガイドピース８の表面には、導管ガイド用の１３５°円弧ガイド溝９、９Ａを形成したこと、
ｈ．平面視四角形から成る角形ガイドピース１８の対向する２つのコーナー部分にコーナーカット用スリット溝２０、２０Ａを形成し、このコーナーカット用スリット溝２０、２０Ａ間に９０°円曲した導管ガイド用の９０°円弧ガイド溝１９、１９Ａを形成したこと、
ｉ．を特徴とする床暖房用温水パネルにおける導管ガイド装置。
【請求項２】
請求項１に記載の導管ガイド装置を平面視四角形の温水パネル１において、左下又は右下又は左上又は右上のコーナー部分に設けて成る床暖房用温水パネルにおける導管ガイド装置。
【発明の詳細な説明】
【技術分野】
【０００１】
本発明は、床暖房用温水パネルを部屋に施工するときに、この床暖房用温水パネルに組み付けられた温水ヘッダーの位置と熱源機間を往復で結ぶ導管の当該部屋における取出口との位置関係に応じて、最短で前記取出口と温水ヘッダー間に導管を配管するときに用いられる導管ガイド装置に関する。
【背景技術】
【０００２】
床暖房用の温水パネルを部屋に施工しようとしたときに、屋外の熱源機から延長された導管の取出口の位置は、建物の構造や熱源機の位置等から現場ごとに違うことが多い。
【０００３】
一方、温水パネルの温水ヘッダーは、部屋の壁に近い位置となるように、パネルの周縁に近い部分に組み付けられている。
【０００４】
このため、取出口と温水ヘッダーとはその位置が一致しないことが多く、このような場合には、取出口と温水ヘッダー間に導管をむき出しにして配管することはできないため、この間に導管ガイド用パネルを敷き込むようにしている。
【０００５】
この例として、特開２００２−２２８１６８号公報には、熱媒制御部とヘッダーとの間を連絡管で繋ぐ際に、多数の部材を準備することなく連絡管を種々の態様に対応させて配置することができる、連絡管ガイド用パネル、および、この連絡管ガイド用パネルを装備した床暖房用パネルとして、熱媒制御部に接続された連絡管をヘッダーへと導くための連絡管ガイド用パネルにおいて、この連絡管ガイド用パネルの表面には、連絡管埋設用の溝が、異なる複数の方向からヘッダーの連絡管接続部に集められて連絡可能に刻設された内容のものが紹介されている。
【０００６】
しかし、この発明の場合は、１枚のガイド用パネルに複数方向の溝が形成されていて、導管を一つの溝に埋設し、残った溝にはすべて埋め込み材を埋め込んで平らにすることが必要となり、手間がかかる。
【０００７】
また、温水パネルには、複数の方向から１ヶ所に集まるガイド溝を形成するため、パネルは必然的に大きくなり、省資源の観点からは問題がある。
【０００８】
次に、特開２００６−０９８０３２号公報には、方向の違う複数の溝を加工した１枚の
パネルを２枚に割って使う内容のものが紹介されている。
【０００９】
しかし、この発明の場合も、１枚のパネルに対して複数方向の溝を形成しているため、１枚のパネルは大きくなり、また使用しなくなった残りのパネルは通常廃棄してしまうため、省資源の観点からは問題がある。
【先行技術文献】
【特許文献】
【００１０】
【特許文献１】特開２００２−２２８１６８号公報
【特許文献２】特開２００６−０９８０３２号公報
【発明の概要】
【発明が解決しようとする課題】
【００１１】
本発明は、斯る点に鑑みて提供されるものであって、その目的は、床暖房用温水パネルにおいて、最小面積のパネル板を用いて導管をガイドすることができると共に施工が簡単な省資源に配慮した導管ガイド装置を提供することである。
【課題を解決するための手段】
【００１２】
本発明は上記した課題を解決するため、請求項１に記載の発明においては、床暖房用温水パネルにおける導管ガイド装置において、
ａ．熱源機との間を温水循環用の往路と復路から成る導管で結び、温水パネル１に配管された温水パイプ２内に前記導管から供給された温水を分配し、一巡して還って来た温水を集合して熱源機へ還すための温水ヘッダー３を平面視四角形の温水パネル１においてその一つのコーナーに近い位置に４５°傾けて組み付けたこと、
ｂ．前記温水ヘッダー３の導管接続口６、６Ａの前方に半円形状に形成された円形ガイドピース組込み用の円形切欠部７を形成したこと、
ｃ．前記温水パネル１において、前記円形切欠部７から温水パネル１の左縁１Ａに向けて導管ガイド用の水平ガイド溝１０、１０Ａを形成したこと、
ｄ．前記温水パネル１において、前記円形切欠部７から下縁１Ｂに向けて導管ガイド用の垂直ガイド溝１１、１１Ａを形成したこと、
ｅ．前記温水パネル１において、前記水平ガイド溝１０、１０Ａと左縁１Ａが交わる位置に、傾斜スリット溝１３、１３Ａにより台形状に形成し、更に前記水平ガイド溝１０、１０Ａの上下に平行に水平スリット溝１４、１４Ａを設けることにより、温水パネル１の左縁においてこれらのスリット溝に沿って切り取り自在に形成したこと、
ｆ．前記温水パネル１において、前記垂直ガイド溝１１、１１Ａと下縁１Ｂが交わる位置に、前記傾斜スリット溝１３、１３Ａと同じ大きさの台形状となるように傾斜スリット溝１６、１６Ａを形成すると共に垂直ガイド溝１１、１１Ａの左右に平行に垂直スリット溝１７、１７Ａを設けることにより、温水パネル１の下縁においてこれらのスリット溝に沿って切り取り自在に形成したこと、
ｇ．前記円形切欠部７内において回転自在の大きさから成る円形ガイドピース８を設け、この円形ガイドピース８の表面には、導管ガイド用の１３５°円弧ガイド溝９、９Ａを形成したこと、
ｈ．平面視四角形から成る角形ガイドピース１８の対向する２つのコーナー部分にコーナーカット用スリット溝２０、２０Ａを形成し、このコーナーカット用スリット溝２０、２０Ａ間に９０°円曲した導管ガイド用の９０°円弧ガイド溝１９、１９Ａを形成したこと、
を特徴とするものである。
【００１３】
この発明によると、温水ヘッダーの導管接続口の前方に組み付けられた円形ガイドピースを回転するだけで導管の配管方向を温水パネルのコーナーにおいて左縁又は下縁方向に変えることができる。
また、温水パネルの左縁に形成したスリット溝での切り欠きと角形導管ガイドピースとの組み合せにより、温水パネルのコーナーの左縁又は下縁に沿った上下又は左右方向に配管方向を設定することができる。
【発明の効果】
【００１４】
本発明は以上に説明したとおり、床暖房用温水パネルにおいて、温水ヘッダーを４５°傾けて組み付け、この温水ヘッダーの導管接続口の前方に円形切欠部を形成し、ここに１２０°の円弧状のガイド溝を形成した円形ガイドピースを回転自在に組み付けることにより、この円形ガイドピースを回転するだけで水平又は垂直方向から導入された導管を温水ヘッダーの導管接続口に向けて配管することができる。
【００１５】
また、温水パネルの左縁又は下縁部分には、台形状に形成したスリット溝とこのスリット溝の内側に平行に直線状のスリット溝を形成し、このスリット溝で温水パネルを切り欠き、ここに９０°円弧の導管ガイド溝を形成した角形ガイドピースのコーナーの一方を切除して嵌め込むことにより、温水パネルの左縁と下縁に沿って導入される導管を９０°円曲させて温水パネル内に導入し、温水ヘッダーの導管接続口へ導くことができるように構成した。
【００１６】
この結果、導管ガイド用のピースは、前記円形ガイドピース１枚と角形ガイドピースを１枚用いるだけで、あらゆる配管方向に対応することができるため、施工が簡単であると共に必要最小面積のパネル板を用いるだけのため、省資源の観点からも有効であり、構造が簡単なために低コストにより製作できる利点がある。
【図面の簡単な説明】
【００１７】
【図１】温水パネルにおける温水ヘッダー部分（コーナー部分）の平面図である。
【図２】円形ガイドピースの説明図である。
【図３】角型ガイドピースの説明図である。
【図４】（Ａ）〜（Ｆ）導管の配管パターンの説明図である。
【発明を実施するための形態】
【００１８】
本発明に係る温水パネルは、温水マットとも称されるもので、合成樹脂発泡板の表面に通常は断面Ｕ字状の配管溝を複数、通常は２〜４系統蛇行するように形成し、この配管溝内に樹脂製の温水パイプを配管したものである。
【００１９】
そして、この温水パネルには、前記温水パイプ内に系統ごとに約６０℃の温水を供給し、かつ一巡して還って来たものを集合させて熱源機例に還す温水ヘッダーが組み付けられている。
【００２０】
また、温水パネルには、床板を支持するための木製の小根太を称される支持材が組み付けられているものと、この支持材のない、所謂ネダレスタイプと称されるタイプのものがあり、本発明は、この双方に適用が可能である。
【００２１】
導管ガイドパネルとは、床暖房温水パネル施工対象となる部屋の導管取出口と温水パネルに組み付けられた温水ヘッダー間において、導管をむき出しにするのではなく、この導管を保護し、かつ無理なく誘導するために用いられるもので、材質は通常温水パネルと同質であり、これに形成される導管ガイド溝も温水パネルの配管溝と同様に断面Ｕ字状を呈している。但し、溝の大きさは、導管の太さが温水パイプより大径のため、温水パイプ側より大きい。
【００２２】
そして、この導管ガイドパネルは、温水ヘッダーの導管接続口と部屋における導管取出口の位置関係に合わせて導管の配管方向を決定づけるために用いられる。
【００２３】
導管は、通常屋外に設置された熱源機と温水ヘッダー間を結ぶ樹脂管であって、往きと還りの２本構成である。
【実施例】
【００２４】
以下、本発明の一実施例を添付した図面に基づいて詳細に説明する。
図１は、温水パネルにおいて、この温水パネルの左下コーナー部分を示すものである。
【００２５】
この図１において、温水パネル１は、平面視四角形から成り、その表面には温水パイプ２が蛇行配管されている。
【００２６】
３は温水パネル１に組み付けられた温水ヘッダーであって、この温水ヘッダー３には
４系統の温水パイプ２が接続された往き口（ソケット）４と還り口（ソケット）５が形成されていると共に、導管接続口６、６ａが形成されている。
【００２７】
そして、温水ヘッダー３の導管接続口６、６ａは、温水パネル１の左下コーナーに向けて４５°傾けてある。
【００２８】
７は温水パネル１において、前記温水ヘッダー３の導管接続口６、６Ａの前方に形成された円形切欠部であって、この円形切欠部７内には、図２に示すように１３５°円曲した円弧からなる１３５°円弧ガイド溝９、９Ａを表面に形成した円形ガイドピース８が水平に回転自在に組み付けられている。
【００２９】
１０、１０Ａは温水パネル１の表面において、前記円形切欠部７から左縁１Ａに向けて水平に形成された水平ガイド溝、１１、１１Ａは前記円形切欠部７から下縁１ｂに向けて垂直に形成された垂直ガイド溝である。
【００３０】
１２は前記水平ガイド溝１０、１０Ａと温水パネル１の左縁１Ａが交わる部分に形成した台形状の左縁カットであって、このカット部１２は、台形を形づくる左右の傾斜スリット溝１３、１３Ａと水平ガイド溝１０、１０Ａの先端部の外側に平行に形成された水平スリット溝１４、１４Ａから成る。
【００３１】
１５は前記左縁カット部１２と同形であって、同じ大きさに形成された下縁カット部であって、この下縁カット部１５は、傾斜スリット溝１６、１６Ａと、前記垂直ガイド溝１１、１１Ａの先端部の両側に沿って平行形成された垂直スリット溝１７、１７Ａから成る。
【００３２】
そして、上記左縁カット部１２と下縁カット部１５は、温水パネル１から傾斜スリット溝１３、１３Ａ及び１６、１６Ａと水平スリット溝１４、１４Ａ及び垂直スリット溝１７、１７Ａにおいて切り欠くことができる。
【００３３】
１８は図３に示すように前記左縁カット部１２と下縁カット部１５において、切り欠いた部分に嵌合して導管の配管方向を決定するために用いられる角形ガイドピースであって、この表面には、９０°円弧ガイド溝１９、１９Ａが形成されていると共にこのガイド溝１９、１９Ａを挟む対角には４５°のコーナーカット用のスリット溝２０、２０Ａが形成されている。
【００３４】
以上に説明した温水パネル１及び円形ガイドピース８、角形ガイドピース１８は、本実施例では硬質ポリウレタンを発泡させた材料で製作されているが、これ以外にポリスチレン、ポリプロピレン、ポリエチレン等を用いることができる。
【００３５】
また、その厚さはすべて９ｍｍに設定されているが、実施形態の規格品としてはこれ以外の寸法もある。
【００３６】
また、温水パイプ２及び導管には架橋ポリエチレン管が用いられているが、これ以外に例えばポリプロピレン管等を用いることができる。
【００３７】
温水パネル１のカット部１２、１５及び角形ガイドピース１８に形成した各スリット溝は、裏側に折り曲げると簡単に割ることができる程度の深さに設定されている。
次に、上記構成の導管ガイド装置を用いて行う配管パターンを図４（Ａ）〜（Ｆ）に基づいて説明する。
【００３８】
１．パターン１（導管を温水パネル１の下縁方向へ又は下縁方向から配管する例）
この場合は、図４（Ａ）に示すように、円形切欠部７内に円形ガイドピース８を組み  付けると共にこの円形ガイドピース８の１３５°円弧導管ガイド溝９、９Ａを温水ヘッ  ダー３の導管接続６、６Ａと下縁カット部１５の垂直ガイド溝１１、１１Ａに合わせる  。
この時、左縁カット部１２と下縁カット部１５はカットせずにそのままとしておく。  
熱源機（図示せず）から部屋の取出口（図示せず）を経由して導入された温水循環用  の往路と復路の導管（図示せず）は、下縁カット部１５のところまでは別に用意された  導管ガイドパネル部材を用いて配管されたのち、下縁カット部１９の垂直ガイド溝１１  、１１Ａを経由して円形ガイドピース８の１３５°円弧導管ガイド溝９、９Ａ内に収め  、その先を温水ヘッダー３の導管接続口６、６Ａにそれぞれ挿し込み、抜け止めバンド  （図示せず）で固定する。
２．パターン２（導管を温水パネル１の下方向の右側へ又は右側方向から配管する例）
この場合は、図４（Ｂ）に示すように、下縁カット部１５において、傾斜スリット溝  １６Ａと垂直スリット溝１７でカットし、角形ガイドピース１８のコーナーカット用ス  リット溝２０Ａ側をカットして、角形ガイドピース１８の９０°円弧ガイド溝１９、１  ９Ａを合わせるようにして下縁カット部１５に組み付ける。
導管は、９０°円弧ガイド溝１９、１９ａと１３５°円弧ガイド溝９、９Ａ内に配管  を行うことにより、温水パネル１の下方から右方向へと配管を行うことができる。
３．パターン３（導管を温水パネル１の下方から左方向へ又は左方向から配管する場合）
この場合は、図４（Ｃ）に示すように、円形ガイドピース８はそのままに、傾斜スリ  ット溝１６をカットした角形ガイドピース１８の向きをパターン２の場合とは１８０°  反対方向に向けて下縁カット部１５に組み付ける。
導管は、１３５°円弧ガイド溝９、９Ａと９０°円弧ガイド溝１９、１９Ａを経由し  て温水パネル１の下方から左方向へと配管を行うことができる。
４．パターン４（導管を温水パネル１の左方向へ又は左方向から配管する場合）
この場合は、図４（Ｄ）に示すように、円形ガイドピース８において、１３５°円弧  ガイド溝９、９Ａをパターン１の位置から左方向に１３５°回転し、１３５°円弧ガイ  ド溝９、９Ａを温水ヘッダー３の導管接続口６、６ａと水平ガイド溝１１、１１ａ間に  合わせる。
導管は１３５°円弧ガイド溝９、９ａと水平ガイド溝１１、１１Ａを経由して温水パ  ネル１の左方へと配管を行うことができる。
５．パターン５（導管を温水パネル１の左方向の上側へ又は上側から配管する場合）
この場合は、図４（Ｅ）に示すように左縁カット部１２を傾斜スリット溝１３と水平  スリット溝１４Ａでカットし、ここに角形ガイドピース１８のコーナースリット溝２０  Ａをカットして９０°円弧ガイド溝１９、１９Ａが上向きとなるように組み付ける。
導管は、円形ガイドピース８の１３５°円弧ガイド溝９、９Ａ及び水平ガイド溝１０  、１０Ａ、９０°円弧ガイド溝１９、１９Ａを経由して温水パネル１の左上方向へと配  管を行うことができる。
６．パターン６（導管を温水パネル１の左方向の下方へ又は下方から配管する場合）
この場合は、図４（Ｆ）に示すように左縁カット部１２において、傾斜スリット溝１  ３Ａと水平スリット溝１４でカットし、ここに角形ガイドピース１８のコーナーカット  用スリット溝２０Ａをカットして９０°円弧ガイド溝１９、１９Ａが下向きとなるよう  に組み付ける。
導管は、１３５°円弧ガイド溝９、９Ａ及び９０°円弧ガイド溝１９、１９Ａを経由  して温水パネル１の左下方向へと配管を行うことができる。
以上に説明したパターン１〜６は、温水ヘッダー３が温水パネル１において左下隅に  近い位置に組みつけられている例であるが、右下隅の場合も同じように、左縁カット部  １２が右縁に形成され、下縁カット部１５が右縁側の下縁に形成される。そして、この  時の配管パターンは、上記したパターン１〜６と左右対称となる。
同様に、温水パネル１の上左隅又は右隅に温水ヘッダー３が組み付けられた場合は、  上記パターン１〜６と上下対照となる。
【符号の説明】
【００３９】
１  温水パネル
２  温水パイプ
３  温水ヘッダー
６、６Ａ  導管接続口
７  円形切欠部
８  円形ガイドピース
１２  左縁カット部
１５  右縁カット部
１８  角形ガイドピース
【図１】
2011017500.tif 000003
【図２】
2011017500.tif 000004
【図３】
2011017500.tif 000005
【図４】
2011017500.tif 000006